(57)【特許請求の範囲】
【請求項１】
使用者の頬へまたは使用者の頬から回転可能である、調整可能マイクロホンブーム（１）を有するヘッドセットであって、ブームは、ハウジング（７）に設けられた軸受に取り付けられ、前記マイクロホンブームは、前記マイクロホンブームに構成された摩擦部分（６）によって前記ハウジング（７）に吊るされており、前記摩擦部分は、前記ハウジングの摩擦結合（２０）によって吊るされ、前記摩擦結合は、２つのプレート（２０）を含み、２つのプレート（２０）は２つの表面の間で前記摩擦部分（６）を収容するように配置されていることを特徴とする、調整可能マイクロホンブームを有するヘッドセット。
【請求項２】
前記摩擦結合は、前記ハウジング（７）に配置されたプレート（９）に構成されることを特徴とする、請求項１に記載のヘッドセット。
【請求項３】
前記摩擦部分（６）は、前記ハウジング（７）内部に構成された凹所において前記マイクロホンブーム（１）を固定するように配置された横軸（５）を有することを特徴とする、請求項１または２に記載のヘッドセット。
【請求項４】
前記プレート（９）および前記ハウジング（７）の各々は凹所を有し、前記プレートの凹所と前記ハウジングの凹所とによって構成された空間の内部に前記軸（５）が配置されることを特徴とする、請求項１から３のいずれかに記載のヘッドセット。
【請求項５】
摩擦結合（２０）は前記プレート（９）から打抜かれた部分として構成されることを特徴とする、請求項２から４のいずれかに記載のヘッドセット。
【請求項６】
前記摩擦部分（６）の幅は、前記摩擦部分が前記プレート（２０）の間に導入されていないときに、前記プレート（２０）間の距離よりも広いことを特徴とする、請求項１から５のいずれかに記載のヘッドセット。
【請求項７】
前記２つのプレート間の開口部は狭くなっていくことを特徴とする、請求項１から６のいずれかに記載のヘッドセット。
【請求項８】
前記２つのプレート（２０）は、プレートのうち前記摩擦部分（６）から離れて面する側を撓みやすいアーム（２１，２７，２８，３２）に接続することによって吊るされることを特徴とする、請求項１から７のいずれかに記載のヘッドセット。
【請求項９】
前記摩擦部分は、前記摩擦部分（６）の側面端（６ａ，６ｂ）によって規定された角度で曲がるように配置されることを特徴とし、その第１の外部の位置において、前記摩擦部分は前記ハウジング（７）の内部表面にもたれ、第２の位置において、それは切抜き（２３）の境界（２９）にもたれる、請求項１から８のいずれかに記載のヘッドセット。
【請求項１０】
前記ハウジング（７）内部は、円形の凹所（１４）であり、そこから切抜き（１５）を有する壁（３０）が延在することを特徴とする、請求項１から８のいずれかに記載のヘッドセット。
【請求項１１】
前記マイクロホンブーム（１）、前記ハウジング（７）および前記プレート（９）は固定リング（１１）で互いに結合されることを特徴とする、請求項２から１０のいずれかに記載のヘッドセット。
【発明の詳細な説明】
【技術分野】
【０００１】
この発明は、使用者の頬へまたは頬から回転可能な、調整可能マイクロホンブームを有するヘッドセットに関し、このブームは、ハウジングに設けられた軸受に取り付けられ、マイクロホンブームは、マイクロホンブームに構成された摩擦部分によってハウジングに吊るされている。
【背景技術】
【０００２】
このようなヘッドセットは、たとえば受付の職員の間で、また電話販売に従事する職員によりますます普及している。
【０００３】
今日、現代式のヘッドセットは、使用者が、ヘッドセットの重さまたは頭のまわりの締付け等による不快という形で生じるいかなる不自由もない状態でそれを装着することができるように構成されている。
【０００４】
さらに、ヘッドセットがワイヤレスタイプのものである場合、使用者が頭からヘッドセットを取外す必要は滅多にない。
【０００５】
ヘッドセットが使用されていない期間に関して、たとえば使用者の食事の際に関して、マイクロホンブームを口のまわりの領域から取外すことができることが望ましい。
【０００６】
マイクロホンブームを使用者の口から取外す最も一般的な方法は、それを拡声器カプセルと平行に曲げることであり、これにより使用者の頬におよそ平行になる。しかしながら、マイクロホンブームを頬から離して、たとえば食事の際にそれが食物と接触する恐れがないようにすることが望ましいかもしれない。
【０００７】
米国特許第５，４６９，５０５号では、マイクロホンブームが使用者の頬から回転できるヘッドセットが開示されており、そこでは、ブームは互いに９０°ずれている２つのヒンジ継手で構成される。
【発明の開示】
【発明が解決しようとする課題】
【０００８】
このように頬へのおよび頬からの回転は、当然のことながら、ヘッドセットの寿命全体を通じて実施できなければならず、マイクロホンブームが緩くなった結果、いかなる固定した位置にも固定できないということがあってはならない。この要求は、マイクロホンブームがヘッドセットに結合される態様に対して大きな要求を課す。
【０００９】
これに鑑みて、この発明の目的は、ヘッドセットの寿命全体を通して、ヘッドセットのマイクロホンの安定した回転が可能であるヘッドセットを提供することである。
【課題を解決するための手段】
【００１０】
本発明の調整可能マイクロホンブームを有するヘッドセットは、使用者の頬へまたは使用者の頬から回転可能である、調整可能マイクロホンブームを有するヘッドセットであって、ブームは、ハウジングに設けられた軸受に取り付けられ、マイクロホンブームは、マイクロホンブームに構成された摩擦部分によってハウジングに吊るされており、摩擦部分は、ハウジングの摩擦結合によって吊るされ、摩擦結合は、２つのプレートを含み、２つのプレートは２つの表面の間で摩擦部分を収容するように配置されている。これにより、この発明の目的が達成される。
【００１１】
このようにして、マイクロホンブームのヘッドセットへの安定した結合が達成され、撓みやすく吊るすことによって、他の態様では、結合が緩くなり、恐らくマイクロホンブームを位置決めすることを不可能にするであろう装着を補償する。また、このようにして、把持部が摩擦部分のまわりで得られ、これは摩擦部分に対する２つのプレートからのばね効果により、長期間の使用後でも摩擦部分を固定するのに十分な力を維持する。
【００１２】
請求項２で開示したように、摩擦結合は、ハウジングに配置したプレートに構成され
ることが好都合である。これはさらに、長期間使用した後でも、マイクロホンブームを動かしたときに撓みやすい配置に遊びが生じないことを保証する。
【００１３】
請求項３で開示したように、ヘッドセットの軸受をさらに安定化するためには、摩擦部分が、ハウジング内部に形成された凹所においてマイクロホンブームを固定するように配置された横軸を有していれば好都合である。請求項４で開示したように、プレートおよびハウジングの各々は凹所を有し、プレートの凹所とハウジングの凹所とによって構成され
た空間の内部に軸が配置される。
【００１４】
請求項５で開示したように、有利な製造技術上の理由で、摩擦結合はプレートの打抜き部分として構成されれば有利である。
【００１６】
請求項１０で開示したように、マイクロホンブームの軸受部分を撓みやすい摩擦結合でハウジングへ簡単に結合するために、ハウジング内部が円形の凹所であり、そこから切抜きを有する壁が外部に延在していれば好都合である。請求項１１において、マイクロホンブーム、ハウジングおよびプレートは固定リングで結合される。
【００１７】
この発明のさらなる好都合な実施例を残りの従属クレームにおいて開示する。
【発明を実施するための最良の形態】
【００１８】
次に発明を図面に示した例示的な実施例を参照してより詳細に説明する。
図１では、マイクロホンブーム全体が参照番号１によって示されている。見てとれるように、その一方の端で、マイクロホンブームは、ブーム３の一方端に固定されたマイクロホン４からなり、ブーム３の他方端は旋回調整部品２に接続されている。調整部品２は、２つの対向表面６ａおよび６ｂを有する摩擦部分６で終わる。摩擦部分６は、調整部品２および摩擦部分６を通って延在する軸５によって調整部分２に旋回可能に接続されている。この軸５は調整部分２の両側を通って延在する。
【００１９】
図１はまた、以下でより詳細に説明するように、摩擦部分６を受けるように配置されたハウジング７および軸受１０を有するプレート９を示している。
【００２０】
最後に、図１はプレート９をハウジング７に固く保持するように配置された固定リング１１を示している。
【００２１】
図２では、ハウジングに挿入された摩擦部分６を有し、方向ＩＩ−ＩＩで見たハウジングが再び示されている。見てとれるように、軸５は摩擦部分６とともに、ハウジング内部
の軸受シェルの形をした円形の凹所（図２では、軸５で部分的に隠れている）に取付けられる。ハウジング７の内部では、円形の凹所１４もまた設けられ、そこから切抜き１５を有する壁３０が外部に延在する。ハウジング７の内部にはまた、プレート９の凹所１７（図３を参照）と協働することになる突起１６が設けられている。
【００２２】
図３では、この発明に従って撓みやすい摩擦結合を有するプレート９が示されている。プレート９の反対側で、軸受シェルの形をした凹所（図示せず）が形成され、それはハウジング７内部の軸受シェルとともに軸受１０を構成し、この軸受１０は、プレート９が挿入され凹部１４の表面に当接したときに軸５を囲む。
【００２３】
プレート９では、この発明に従って撓みやすい摩擦結合が構成される。この撓みやすい摩擦結合は２つのプレート２０からなり、これらのプレートは弾性アーム２１、２７、３１、３２ならびに固定部品２６および２８に接続されている。弾性アーム、プレート２０および固定部品２６、２８は、プレート９の材料を打抜くことによって構成されており、これはプレート２０の間の図３中下方に狭くなる開口部２４によって示され、切抜き２２および２３で示されている。
【００２４】
図に示した部品は以下の態様で組立てられる。
摩擦部分６は、図１の右からハウジング７の内部に導入される。プレート２０の間の開口部２４よりも幅が僅かに広い摩擦部分６は、今度はプレート２０の間に押し込まれ、それによりアーム２１、２７、３１および３２のばね効果によって決定される力が摩擦部分６に与えられる。同時に、軸５はハウジング７の軸受シェルにおよび結合プレート９に取付けられ、上記軸受シェルはともに軸受１０を形成する。すべての部品をともに保持するために、固定リング１１がハウジング７内部に対して取付けられる。このようにして、マイクロホンブームを、図１および３にそれぞれ示したように、ハウジングの内部表面８に対する摩擦部分６の表面６ａおよび６ｂならびに摩擦結合の境界２９それぞれにより限定された距離によって規定される角度のついた領域内で動かすことができる。
【００２５】
さらに、マイクロホンブームを境界２９に向かって動かしたときに、これはマイクロホンブームを使用者の頬から離すのと同じことであるが、摩擦が増加する、というのも、上述のように、開口部２４の広さが下方にむかって狭くなるからである。
【図面の簡単な説明】
【００２６】
【図１】この発明に従って、取外された状態の、軸受部分を有するマイクロホンブームを側面から見た図である。
【図２】図１の線ＩＩ−ＩＩに沿った断面を示す図である。
【図３】この発明に従ったプレートの摩擦結合を示す図である。
【図１】
0003973558.tif 000002
【図２】
0003973558.tif 000003
【図３】
0003973558.tif 000004